(57)【要約】【課題】負荷を適切に分配して効率良く動作を行うこが可能な表示装置等を提供する。【解決手段】電子時計１００は、マイクロコンピュータ１０１と、ＧＰＳモジュール１０７と、表示モジュール１０８と、を備える。ＧＰＳモジュール１０７のＣＰＵは、マイクロコンピュータ１０１のＣＰＵ１１０からの指示に基づいて、画像データを生成する。表示モジュール１０８の表示部は、ＣＰＵ１１０の制御に基づいて表示動作を行う。表示モジュール１０８のＣＰＵは、ＣＰＵ１１０からの指示に基づいて、ＧＰＳモジュール１０７のＣＰＵが生成した画像データを取得し、表示部に表示させる。【選択図】図１
2019086387.tif 000002
【特許請求の範囲】
【請求項１】
第１制御部と、
第２制御部と、
前記第２制御部からの指示に基づいて、画像データを生成する第３制御部と、
前記第１制御部の制御に基づいて表示動作を行う表示部と、を備え、
前記第１制御部は、前記第２制御部からの指示に基づいて、前記第３制御部が生成した画像データを取得し、前記表示部に表示させる、
ことを特徴とする表示装置。
【請求項２】
前記第３制御部は、前記第２制御部よりも演算処理能力が高い、
ことを特徴とする請求項１に記載の表示装置。
【請求項３】
前記第３制御部は、現在位置を示す位置情報を取得し、取得した前記位置情報に基づいて前記画像データを生成する、
ことを特徴とする請求項１または２に記載の表示装置。
【請求項４】
前記画像データは、前記位置情報の時系列変化を示す、
ことを特徴とする請求項３に記載の表示装置。
【請求項５】
請求項１乃至４のいずれか１項に記載の表示装置と、
現在時刻を計時する計時部と、
を備え、
前記第１制御部は、前記計時部が計時した現在時刻を前記表示部に表示させる、
ことを特徴とする電子時計。
【請求項６】
第１制御部と、第２制御部と、前記第２制御部からの指示に基づいて、画像データを生成する第３制御部と、前記第１制御部の制御に基づいて表示動作を行う表示部と、を備える表示装置が実行する表示方法であって、
前記第１制御部が、前記第２制御部からの指示に基づいて、前記第３制御部が生成した画像データを取得し、前記表示部に表示させる画像データ処理ステップを備える、
ことを特徴とする表示方法。
【請求項７】
第１制御部と、第２制御部と、前記第２制御部からの指示に基づいて、画像データを生成する第３制御部と、前記第１制御部の制御に基づいて表示動作を行う表示部と、を備える表示装置の前記第１制御部を、
前記第２制御部からの指示に基づいて、前記第３制御部が生成した画像データを取得し、前記表示部に表示させる画像データ処理手段、
として機能させることを特徴とするプログラム。
【発明の詳細な説明】
【技術分野】
【０００１】
この発明は、表示装置、電子時計、表示方法、及びプログラムに関する。
【背景技術】
【０００２】
従来、ＧＰＳ（Global Positioning System）衛星からの電波を受信して測位処理を行うことにより位置情報を取得し、取得した位置情報に基づいて移動軌跡を表示する表示装置がある（例えば、特許文献１参照）。
【先行技術文献】
【特許文献】
【０００３】
【特許文献１】特開２０１１−１９１２８９号公報
【発明の概要】
【発明が解決しようとする課題】
【０００４】
特許文献１に開示されている表示装置において、取得した位置情報に基づく画像データの生成処理やその他の各種処理を同時に実行する場合に、これらの動作を制御する制御部の負荷が大きくなり、装置全体の動作が不安定になる可能性がある。
【０００５】
この発明の目的は、負荷を適切に分配して効率良く動作を行うことが可能な表示装置、電子時計、表示方法、及びプログラムを提供することにある。
【課題を解決するための手段】
【０００６】
本発明は、上記目的を達成するため、本発明の観点に係る表示装置は、
第１制御部と、
第２制御部と、
前記第２制御部からの指示に基づいて、画像データを生成する第３制御部と、
前記第１制御部の制御に基づいて表示動作を行う表示部と、を備え、
前記第１制御部は、前記第２制御部からの指示に基づいて、前記第３制御部が生成した画像データを取得し、前記表示部に表示させる、
ことを特徴とする。
【発明の効果】
【０００７】
本発明に従うと、負荷を適切に分配して効率良く動作を行うことができる。
【図面の簡単な説明】
【０００８】
【図１】実施形態に係る電子時計の構成例を示すブロック図である。
【図２】実施形態に係るＧＰＳモジュールの構成例を示すブロック図である。
【図３】実施形態に係る表示モジュールの構成例を示すブロック図である。
【図４】（ａ）はＧＰＳデータの一例を示す図、（ｂ）は（ａ）のＧＰＳデータに基づいて生成された画像データの表示部の表示例を示す図である。
【図５】実施形態に係る電子時計のマイクロコンピュータ、ＧＰＳモジュール、及び表示モジュールの各ＣＰＵが実行する表示処理のフローチャートである。
【発明を実施するための形態】
【０００９】
以下、好ましい実施の形態を図面に基づいて説明する。
【００１０】
図１は、実施形態に係る電子時計１００の構成例を示すブロック図である。電子時計１００は、計時機能及び表示機能を備える電子機器の一例である。まず、実施形態に係る電子時計１００のハードウェア構成について説明する。図１に示すように、電子時計１００は、マイクロコンピュータ１０１と、ＲＯＭ（Read Only Memory）１０２と、通信部１０３と、アンテナ１０４と、電力供給部１０５と、操作受付部１０６と、ＧＰＳモジュール１０７と、表示モジュール１０８と、を備える。
【００１１】
マイクロコンピュータ１０１は、第２御部としてのＣＰＵ（Central Processing Unit）１１０と、ＲＡＭ（Random Access Memory）１１１と、計時部１１２とを備える。なお、ＲＡＭ１１１及び計時部１１２の全部または一部の構成要素は、マイクロコンピュータ１０１の内部に限られず、マイクロコンピュータ１０１の外部に設けられてもよい。また、ＲＯＭ１０２と、通信部１０３と、電力供給部１０５と、ＧＰＳモジュール１０７と、表示モジュール１０８とは、マイクロコンピュータ１０１の外部に限られず、マイクロコンピュータ１０１の内部に設けられてもよい。
【００１２】
ＣＰＵ１１０は、各種演算処理を行い、電子時計１００の全体動作を統括制御するプロセッサである。ＣＰＵ１１０は、ＲＯＭ１０２から制御プログラムを読み出し、ＲＡＭ１１１にロードして時刻の表示や各種機能に係る演算制御や表示などの各種動作処理を行う。ＣＰＵ１１０は、低負荷かつ長期間にわたり安定的に処理を実行するものであり、後述するＧＰＳモジュール１０７のＣＰＵ２０１よりも演算処理能力が低い。
【００１３】
ＲＡＭ１１１は、ＳＲＡＭ（Static Random Access Memory）やＤＲＡＭ（Dynamic Random Access Memory）などの揮発性のメモリであり、ＣＰＵ１１０に作業用のメモリ空間を提供して一時データを記憶すると共に、各種設定データを記憶する。
【００１４】
計時部１１２は、現在時刻を計時するための各種回路から構成される。計時部１１２は，例えば、発振回路、分周回路、計時回路、振動子を含む。発振回路は、振動子を発振さることにより所定の周波数信号（クロック信号）を生成して出力する。分周回路は、発振回路から入力された周波数信号を、計時回路やＣＰＵが利用する周波数の信号に分周して出力する。計時回路は、分周回路から入力された所定の計時信号の入力回数を計数して初期値に加算することで現在の時刻を計時する。なお、計時回路は、ＲＡＭ１１１に記憶させる値を変化させるソフトウェアにより構成されても良いし、或いは、専用のカウンタ回路により構成されても良い。
【００１５】
ＲＯＭ１０２は、マスクＲＯＭや書き換え可能な不揮発性メモリなどであり、制御プログラムや初期設定データが記憶されている。制御プログラムの中には、後述する表示処理に係るプログラム１１５やＧＰＳデータ１１６が含まれる。
【００１６】
通信部１０３は、Ｂｌｕｅｔｏｏｔｈ（登録商標） Ｌｏｗ Ｅｎｅｒｇｙ（以下、ＢＬＥという。）等の無線通信規格に基づいて、外部の無線通信装置（図示せず）と無線通信を行い、例えば無線周波数（ＲＦ：Radio Frequency）回路やベースバンド（ＢＢ：Baseband）回路、メモリ回路で構成される。通信部１０３は、アンテナ１０４を介して受信した無線信号を、復調、復号等してＣＰＵ１１０へ送る。また、通信部１０３は、ＣＰＵ１１０から送られた信号を、符号化、変調等して、アンテナ１０４を介して外部へ送信する。
【００１７】
電力供給部１０５は、バッテリを備え、電子時計１００の動作に係る電力を各部にその動作電圧で供給する。電力供給部１０５のバッテリとしては、本実施形態では、リチウムイオン電池等の二次電池が用いられる。
【００１８】
操作受付部１０６は、例えばキーやボタンを備え、ユーザからの入力操作を受け付けて、当該入力操作に応じた電気信号を入力信号としてＣＰＵ１１０に出力する。また、例えば、操作受付部１０６としてタッチセンサが表示モジュール１０８の表示画面に重ねて設けられ、表示画面とともにタッチパネルを構成してもよい。この場合、タッチセンサは、当該タッチセンサへのユーザの接触動作に係る接触位置や接触態様を検出し、検出された接触位置や接触態様に応じた操作信号をＣＰＵ１１０に出力する。
【００１９】
ＧＰＳモジュール１０７は、アンテナを介してＧＰＳ衛星からの送信電波を受信し、処理することにより、日時情報や位置情報を取得するモジュールである。図２にＧＰＳモジュール１０７の構成例を示すブロック図を示す。図２に示すように、ＧＰＳモジュール１０７は、第３制御部としてのＣＰＵ２０１と、ＲＡＭ２０２と、ＲＯＭ２０３と、ＧＰＳ受信部２０４と、通信部２０５と、から構成される。
【００２０】
ＣＰＵ２０１は、各種演算処理を行い、ＧＰＳモジュール１０７の全体動作を統括制御するプロセッサである。ＣＰＵ２０１は、ＲＯＭ２０３から制御プログラムを読み出し、ＲＡＭ２０２にロードして、ＧＰＳ衛星からの電波受信、受信信号に基づく現在日時の同定、現在位置の算出、後述する画像データの生成などの処理を行う。ＣＰＵ２０１は、高負荷の処理を高速に実行することができ、マイクロコンピュータ１０１のＣＰＵ１１０よりも演算処理能力が高い。
【００２１】
ＲＡＭ２０２は、ＳＲＡＭやＤＲＡＭなどの揮発性のメモリであり、ＣＰＵ２０１に作業用のメモリ空間を提供して一時データを記憶すると共に、各種設定データを記憶する。本実施形態において、ＲＡＭ２０２は、ＣＰＵ２０１により生成された画像データ２１５を記憶する。
【００２２】
ＲＯＭ２０３は、マスクＲＯＭや書き換え可能な不揮発性メモリなどであり、制御プログラムや初期設定データが記憶されている。制御プログラムの中には、後述する表示処理に係るプログラム２１６が含まれる。
【００２３】
ＧＰＳ受信部２０４は、受信対象のＧＳＰ衛星からの電波を検出し、そのＧＰＳ衛星の識別及び送信信号の位相を同定し、同定したＧＰＳ衛星からの送信電波を追尾して継続的に信号を復調、取得する。
【００２４】
通信部２０５は、マイクロコンピュータ１０１等と通信するための通信インターフェースから構成される。
【００２５】
表示モジュール１０８は、ＣＰＵ１１０からの指示に基づいて画像データを表示するモジュールである。図３に表示モジュール１０８の構成例を示すブロック図を示す。図３に示すように、表示モジュール１０８は、第１制御部としてのＣＰＵ３０１と、ＲＡＭ３０２と、ＲＯＭ３０３と、通信部３０４と、表示部３０５とから構成される。
【００２６】
ＣＰＵ３０１は、各種演算処理を行い、表示モジュール１０８の全体動作を統括制御するプロセッサである。ＣＰＵ３０１は、ＲＯＭ３０３から制御プログラムを読み出し、ＲＡＭ３０２にロードして各種機能に係る演算制御や表示などの各種動作処理を行う。
【００２７】
ＲＡＭ３０２は、ＳＲＡＭやＤＲＡＭなどの揮発性のメモリであり、ＣＰＵ３０１に作業用のメモリ空間を提供して一時データを記憶すると共に、各種設定データを記憶する。
【００２８】
ＲＯＭ３０３は、マスクＲＯＭや書き換え可能な不揮発性メモリなどであり、制御プログラムや初期設定データが記憶されている。制御プログラムの中には、後述する表示処理に係るプログラム３１５が含まれる。
【００２９】
通信部３０４は、マイクロコンピュータ１０１等と通信するための通信インターフェースから構成される。
【００３０】
表示部３０５は、ＣＰＵ３０１の制御に基づいて表示動作を行う。表示部３０５は、例えば、液晶ディスプレイ（ＬＣＤ：Liquid Crystal Display）や有機ＥＬ（Electro Luminescence）ディスプレイなどの表示ディスプレイと、表示ディスプレイの種別に応じた駆動信号をＣＰＵ１１０からの制御信号に基づいて出力する表示ドライバと、から構成される。本実施形態において、表示部３０５は、ＣＰＵ３０１の制御のもと、後述する画像データを表示ディスプレイに表示する。
【００３１】
なお、本実施形態のＣＰＵ１１０、ＲＡＭ１１１、ＲＯＭ１０２、通信部１０３、アンテナ１０４、電力供給部１０５、操作受付部１０６、ＧＰＳモジュール１０７、及び表示モジュール１０８は、表示機能を実現する表示装置１０を構成する。そして、表示装置１０は、計時機能を実現する計時部１１２とともに電子時計１００を構成する。
【００３２】
次に、実施形態に係る電子時計１００のＣＰＵ１１０の機能構成について説明する。図１に示すように、ＣＰＵ１１０は、画像データ生成制御部１２１、表示制御部１２２として機能する。これら画像データ生成制御部１２１及び表示制御部１２２の機能は、単一のＣＰＵにより実現されても良いし、各々別個のＣＰＵにより実現されても良い。また、それらの機能は、通信部１０３のＣＰＵ等、マイクロコンピュータ１０１以外のプロセッサにより実現されても良い。
【００３３】
画像データ生成制御部１２１としてのＣＰＵ１１０は、ＧＰＳモジュール１０７のＣＰＵ２０１に画像データを生成するよう指示する。ここで、画像データは、例えばＧＰＳモジュール１０７が取得した位置情報に基づいて生成される軌跡を表す画像データである。具体的には、画像データ生成制御部１２１は、操作受付部１０６がユーザから画像データを表示するための表示処理の実行を開始する旨の操作入力を受け付けると、ＧＰＳモジュール１０７のＣＰＵ２０１に画像データの生成を指示する画像データ生成指示を送信する。
【００３４】
表示制御部１２２としてのＣＰＵ１１０は、表示モジュール１０８のＣＰＵ３０１に画像データを表示するよう指示する。具体的には、表示制御部１２２は、ＧＰＳモジュール１０７のＣＰＵ２０１から画像データ生成完了通知を受信すると、表示モジュール１０８のＣＰＵ３０１に画像データの表示部への表示を指示する画像データ読出指示を送信する。
【００３５】
次に、実施形態に係るＧＰＳモジュール１０７のＣＰＵ２０１の機能構成について説明する。図２に示すように、ＣＰＵ２０１は、位置情報取得部２２１、画像データ生成部２２２として機能する。これら位置情報取得部２２１及び画像データ生成部２２２の機能は、単一のＣＰＵにより実現されても良いし、各々別個のＣＰＵにより実現されても良い。また、それらの機能は、通信部２０５のＣＰＵ等、ＣＰＵ２０１以外のプロセッサにより実現されても良い。
【００３６】
位置情報取得部２２１としてのＣＰＵ２０１は、ＧＰＳ受信部２０４を制御して、ＧＰＳ衛星からの送信電波を受信し、測位処理により自装置の現在位置を表す位置情報を取得する。また、ＣＰＵ２０１は、取得した位置情報を取得した時刻とともに、ＲＯＭ１０２のＧＰＳデータ１１６として格納する。
【００３７】
図４（ａ）にＲＯＭ１０２に格納されるＧＰＳデータの一例を示す。図４（ａ）に示すＧＰＳデータ１１６は、ＣＰＵ２０１により取得された位置情報の時系列変化データであって、位置情報と、位置情報を取得した時刻を示す時刻情報とを含む。位置情報は、例えば緯度及び経度により表される座標データである。具体的には、ＣＰＵ２０１は、例えば所定の時間間隔で位置情報を取得し、取得した位置情報を順次ＧＰＳデータ１１６としてＲＯＭ１０２に格納する。
【００３８】
画像データ生成部２２２としてのＣＰＵ２０１は、ＲＯＭ１０２に格納されたＧＰＳデータ１１６に基づいて、自装置の軌跡を表す画像データ２１５を生成する。ＣＰＵ２０１は、生成した画像データ２１５をＲＡＭ２０２に格納する。具体的には、ＣＰＵ２０１は、例えば、マイクロコンピュータ１０１のＣＰＵ１１０から画像データ生成指示を受信すると、ＲＯＭ１０２に格納されたＧＰＳデータ１１６に基づいて、画像データを生成する。そして、ＣＰＵ２０１は、画像データの生成が完了すると、マイクロコンピュータ１０１のＣＰＵ１１０に画像データ生成完了通知を送信する。
【００３９】
次に、実施形態に係る表示モジュール１０８のＣＰＵ３０１の機能構成について説明する。図３に示すように、ＣＰＵ３０１は、画像データ処理部３２１として機能する。なお、画像データ処理部３２１の機能は、単一のＣＰＵにより実現されても良いし、各々別個のＣＰＵにより実現されても良い。また、それらの機能は、通信部３０４のＣＰＵ等、ＣＰＵ３０１以外のプロセッサにより実現されても良い。
【００４０】
画像データ処理部３２１としてのＣＰＵ３０１は、画像データをＲＡＭ２０２から読み出し、表示部３０５に表示展開させて、表示させる。具体的には、ＣＰＵ３０１は、例えば、マイクロコンピュータ１０１のＣＰＵ１１０から画像データ読出指示を受信すると、ＧＰＳモジュール１０７のＲＡＭ２０２に格納されている画像データ２１５を読み出す。そして、ＣＰＵ３０１は、読み出した画像データ２１５を表示部３０５に表示展開させて、表示させる。そして、ＣＰＵ３０１は、マイクロコンピュータ１０１のＣＰＵ１１０に、読出完了通知を送信する。
【００４１】
図４（ｂ）に表示部３０５に表示される画像データの一例を示す。図４（ｂ）に示す画像データは、時刻情報ｔ１〜ｔ６における位置情報ｐ１〜ｐ６を順に直線で結んだ移動軌跡を表す。
【００４２】
次に、本実施形態に係る電子時計１００の動作について説明する。図５は、本実施形態における電子時計１００のＣＰＵ１１０、ＣＰＵ２０１、及びＣＰＵ３０１が実行する表示処理の一例を示すフローチャートである。電子時計１００のＣＰＵ１１０は、例えば、操作受付部１０６を介してユーザから表示処理の実行を示す操作入力を受け付けたことを契機として図５に示す表示処理を開始する。
【００４３】
まず、マイクロコンピュータ１０１のＣＰＵ１１０は、ＧＰＳモジュール１０７のＣＰＵ２０１に画像データ生成指示を送信する（ステップＳ１０１）。
【００４４】
ＧＰＳモジュール１０７のＣＰＵ２０１は、マイクロコンピュータ１０１のＣＰＵ１１０から画像データ生成指示を受信すると（ステップＳ１０２）、ＲＯＭ１０２に記録されたＧＰＳデータ１１６に基づいて、画像データ２１５を生成する（ステップＳ１０３）。そして、ＣＰＵ２０１は、生成した画像データ２１５をＲＡＭ２０２に格納し、ＣＰＵ１１０に画像データ生成完了通知を送信する（ステップＳ１０４）。
【００４５】
そして、マイクロコンピュータ１０１のＣＰＵ１１０は、画像データ生成完了通知を受信すると（ステップＳ１０５）、表示モジュール１０８のＣＰＵ３０１に画像データ読出指示を送信する（ステップＳ１０６）。
【００４６】
表示モジュール１０８のＣＰＵ３０１は、画像データ読出指示を受信すると（ステップＳ１０７）、ＧＰＳモジュール１０７のＲＡＭ２０２から画像データを読み出す（ステップＳ１０８）。そして、ＣＰＵ３０１は、表示部３０５に読み出した画像データを表示展開させる（ステップＳ１０９）。そして、ＣＰＵ３０１は、読出完了通知をマイクロコンピュータ１０１のＣＰＵ１１０に送信する（ステップＳ１１０）。
【００４７】
そして、マイクロコンピュータ１０１のＣＰＵ１１０が読出完了通知を受信すると（ステップＳ１１１）、本処理を終了する。
【００４８】
以上説明したように、本実施形態に係る電子時計１００の表示モジュール１０８のＣＰＵ３０１は、ＧＰＳモジュール１０７のＣＰＵ２０１が、マイクロコンピュータ１０１のＣＰＵ１１０からの指示に基づいて生成した画像データを取得し、表示部３０５に表示させる。従って、ＣＰＵ１１０，２０１，３０１の間で負荷を適切に分配して効率良く動作を行うことができる。
【００４９】
また、電子時計１００のＧＰＳモジュール１０７のＣＰＵ２０１は、マイクロコンピュータ１０１のＣＰＵ１１０よりも演算処理能力が高い。従って、ＣＰＵ２０１に比較的負荷が高い画像データの生成処理を実行させることにより、負荷を適切に分配して効率良く動作を行うことができる。
【００５０】
また、電子時計１００のＧＰＳモジュール１０７のＣＰＵ２０１は、現在位置を示す位置情報を取得し、取得した位置情報に基づいて画像データを生成する。従って、ＣＰＵ２０１は、位置情報の取得から画像データの生成まで、ＧＰＳモジュール１０７内部で一貫して処理することができる。
【００５１】
また、電子時計１００のＧＰＳモジュール１０７のＣＰＵ２０１は、位置情報の時系列変化を示す画像データ２１５を生成する。従って、ＣＰＵ２０１は、位置情報を取得する度にマイクロコンピュータ１０１に出力することなく、複数の時系列の位置情報を１つの画像データ２１５にまとめて生成し、ＲＡＭ２０２に格納することができる。そのため、データの転送時間と画像生成処理時間との和を適切に短縮させることができる。
【００５２】
なお、本発明は、上記実施の形態に限られるものではなく、様々な変更が可能である。
【００５３】
例えば、上記の実施形態において、画像データ２１５は、図４（ｂ）に示すような移動軌跡を表す場合について説明したが、画像データが表す内容はこれに限られない。例えば、画像データは、移動軌跡に地図データや地形、道路、建築物を表すデータが重ね合わされたデータであってもよい。
【００５４】
また、上記の実施形態において、表示装置１０として電子時計１００を例に挙げて説明したが、電子時計以外の電気機器であってもよい。例えば、ユーザの活動量計、センサといった、表示画像の生成処理に比して低負荷且つ長期間継続的に実行される処理を伴う電子機器全般に適用可能である。
【００５５】
また、上記の実施形態では、ＣＰＵ１１０，２０１，３０１が、表示処理等の各種制御動作を行う例を説明した。しかし、制御動作は、ＣＰＵによるソフトウェア制御に限られるものではない。制御動作の一部又は全部が専用の論理回路などのハードウェア構成を用いてなされても良い。
【００５６】
また、以上の説明では、本発明のデータ通信処理に係るプログラム、表示形式決定処理に係るプログラムを記憶するコンピュータ読み取り可能な媒体としてフラッシュメモリなどの不揮発性メモリからなるＲＯＭ１０２を例に挙げて説明した。しかし、コンピュータ読み取り可能な媒体は、これらに限定されず、ＨＤＤ（Hard Disk Drive）、ＣＤ−ＲＯＭ（Compact Disc Read Only Memory）やＤＶＤ（Digital Versatile Disc）などの可搬型記録媒体を適用してもよい。また、本発明に係るプログラムのデータを通信回線を介して提供する媒体として、キャリアウェーブ（搬送波）も本発明に適用される。
【００５７】
その他、上記実施の形態で示した構成、制御手順や表示例などの具体的な細部は、本発明の趣旨を逸脱しない範囲において適宜変更可能である。
【００５８】
本発明のいくつかの実施形態を説明したが、本発明の範囲は、上述の実施の形態に限定するものではなく、特許請求の範囲に記載された発明の範囲とその均等の範囲を含む。以下に、この出願の願書に最初に添付した特許請求の範囲に記載した発明を付記する。付記の番号は、この出願の願書に最初に添付した特許請求の範囲の通りである。
【００５９】
（付記１）
第１制御部と、
第２制御部と、
前記第２制御部からの指示に基づいて、画像データを生成する第３制御部と、
前記第１制御部の制御に基づいて表示動作を行う表示部と、を備え、
前記第１制御部は、前記第２制御部からの指示に基づいて、前記第３制御部が生成した画像データを取得し、前記表示部に表示させる、
ことを特徴とする表示装置。
【００６０】
（付記２）
前記第３制御部は、前記第２制御部よりも演算処理能力が高い、
ことを特徴とする付記１に記載の表示装置。
【００６１】
（付記３）
前記第３制御部は、現在位置を示す位置情報を取得し、取得した前記位置情報に基づいて前記画像データを生成する、
ことを特徴とする付記１または２に記載の表示装置。
【００６２】
（付記４）
前記画像データは、前記位置情報の時系列変化を示す、
ことを特徴とする付記３に記載の表示装置。
【００６３】
（付記５）
付記１乃至４のいずれか１つに記載の表示装置と、
現在時刻を計時する計時部と、
を備え、
前記第１制御部は、前記計時部が計時した現在時刻を前記表示部に表示させる、
ことを特徴とする電子時計。
【００６４】
（付記６）
第１制御部と、第２制御部と、前記第２制御部からの指示に基づいて、画像データを生成する第３制御部と、前記第１制御部の制御に基づいて表示動作を行う表示部と、を備える表示装置が実行する表示方法であって、
前記第１制御部が、前記第２制御部からの指示に基づいて、前記第３制御部が生成した画像データを取得し、前記表示部に表示させる画像データ処理ステップを備える、
ことを特徴とする表示方法。
【００６５】
（付記７）
第１制御部と、第２制御部と、前記第２制御部からの指示に基づいて、画像データを生成する第３制御部と、前記第１制御部の制御に基づいて表示動作を行う表示部と、を備える表示装置の前記第１制御部を、
前記第２制御部からの指示に基づいて、前記第３制御部が生成した画像データを取得し、前記表示部に表示させる画像データ処理手段、
として機能させることを特徴とするプログラム。
【符号の説明】
【００６６】
１００…電子時計、１０…表示装置、１０１…マイクロコンピュータ、１０２…ＲＯＭ、１０３…通信部、１０４…アンテナ、１０５…電力供給部、１０６…操作受付部、１０７…ＧＰＳモジュール、１０８…表示モジュール、１１０…ＣＰＵ、１１１…ＲＡＭ、１１２…計時部、１１５…プログラム、１１６…ＧＰＳデータ、１２１…画像データ生成制御部、１２２…表示制御部、２０１…ＣＰＵ、２０２…ＲＡＭ、２０３…ＲＯＭ、２０４…ＧＰＳ受信部、２０５…通信部、２１５…画像データ、２１６…プログラム、２２１…位置情報取得部、２２２…画像データ生成部、３０１…ＣＰＵ、３０２…ＲＡＭ、３０３…ＲＯＭ、３０４…通信部、３０５…表示部、３１５…プログラム、３２１…画像データ処理部
【図１】
2019086387.tif 000003
【図２】
2019086387.tif 000004
【図３】
2019086387.tif 000005
【図４】
2019086387.tif 000006
【図５】
2019086387.tif 000007